(57)【要約】物理層で無線フレームを有する携帯電話通信システムにおいて、送信される信号において、タイミングパラメータが指示され、複数のセルグループの特定の１つが識別される。既知の１のタイムスロットで、第１の順序で配列された１対のシーケンス（Ｉ）を含む同期信号Ｓ１が送信される。既知の別のタイムスロットで、第２の順序で配列された１対のシーケンス（ＩＩ）を含む同期信号Ｓ２が送信される。選択された１対のシーケンスは、特定のセルグループとして一意的に識別され、シーケンスの第１の順序は、既知の１のタイムスロットでの送信のために用いられ、シーケンスの第２の順序は、既知の別のタイムスロットでの送信のために用いられる。【選択図】図２（ａ）
2010516132.tif 000002
【特許請求の範囲】
【請求項１】
物理層で無線フレームを採用する携帯電話通信システムにおいて、送信される信号において、タイミングパラメータを指示し、Ｍ個の可能なセルグループから特定のセルグループの識別を行なう方法であって、前記無線フレームは複数のタイムスロットから成る、前記方法は、
前記無線フレームの既知の１のタイムスロットで、第１の順序で配列された１対のシーケンスＳｉ〜、Ｓｊ〜を含む同期信号Ｓ１を送信することと、
前記無線フレームの既知の別の既知のタイムスロットで、第２の順序で配列された前記１対のシーケンスＳｉ〜、Ｓｊ〜を含む同期信号Ｓ２を送信すること、を含み、
前記１対のシーケンスＳｉ〜、Ｓｊ〜のそれぞれは、少なくとも
【数１】
2010516132.tif 000016
個の異なるシーケンスを含むグループから選択され、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜であり、
前記シーケンスの前記第１の順序は、前記無線フレームの前記既知の１のタイムスロットでの送信のために用いられ、前記シーケンスの前記第２の順序は、前記既知の別のタイムスロットでの送信のために用いられる方法。
【請求項２】
前記１対のシーケンスＳｉ〜、Ｓｊ〜の前記第１の順序は、前記シーケンスＳｊ〜の送信前の前記シーケンスＳｉ〜の送信により作用を受け、前記１対のシーケンスＳｉ〜、Ｓｊ〜の前記第２の順序は、前記シーケンスＳｉ〜の送信前の前記シーケンスＳｊ〜の送信により作用を受ける、請求項１に記載の方法。
【請求項３】
Ｓ１およびＳ２はそれぞれｎ長であり、各前記シーケンスＳｉ〜、Ｓｊ〜はｎ／２長である、請求項２に記載の方法。
【請求項４】
前記携帯電話通信システムの前記物理層は直交周波数分割多重方式を採用し、
前記１対のシーケンスＳｉ〜、Ｓｊ〜の前記第１の順序は、１つ以上のサブキャリアの第１の組での前記シーケンスＳｉ〜の送信、および、１つ以上のサブキャリアの第２の組での前記シーケンスＳｊ〜の送信により作用を受け、
前記１対のシーケンスＳｉ〜、Ｓｊ〜の前記第２の順序は、１つ以上のサブキャリアの前記第１の組での前記シーケンスＳｊ〜の送信、および、１つ以上のサブキャリアの前記第２の組での前記シーケンスＳｉ〜の送信により作用を受ける、請求項１に記載の方法。
【請求項５】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、周波数の第１の組での前記シーケンスＳｉ〜の送信、および、周波数の第２の組での前記シーケンスＳｊ〜の送信により作用を受け、
前記１対のシーケンスＳｉ〜、Ｓｊ〜の前記第２の順序は、周波数の前記第１の組での前記シーケンスＳｊ〜の送信、および、周波数の前記第２の組での前記シーケンスＳｉ〜の送信により作用を受ける、請求項１に記載の方法。
【請求項６】
前記同期信号Ｓ１およびＳ２は、以下の式に従って生成される、
【数２】
2010516132.tif 000017
但し、
αは第１の被乗数であり、
βは第２の被乗数であり、かつ、α≠β
請求項１に記載の方法。
【請求項７】
各前記被乗数αおよびβはスカラー値であり、信号振幅の量に対応する、請求項６に記載の方法。
【請求項８】
各前記被乗数αおよびβはスカラー値であり、信号電力の量に対応する、請求項６に記載の方法。
【請求項９】
前記同期信号Ｓ１と、前記同期信号Ｓ２と、前記シーケンスＳｉ〜と、前記シーケンスＳｊ〜と、は全て長さが等しい、請求項６に記載の方法。
【請求項１０】
前記同期信号Ｓ１を送信することは、αＳｉ〜およびβＳｊ〜を同時に送信することを含み、
前記同期信号Ｓ２を送信することは、βＳｉ〜およびαＳｊ〜を同時に送信することを含む、
請求項６に記載の方法。
【請求項１１】
前記無線フレームの前記既知の１のタイムスロットでの送信のための前記シーケンスの前記第１の順序の前記使用、および、前記既知の別のタイムスロットでの送信のための前記シーケンスの前記第２の順序の前記使用は、前記同期信号Ｓ１と前記同期信号Ｓ２の一方を用いた無線フレームタイミングの検出を可能にする、請求項１に記載の方法。
【請求項１２】
物理層で無線フレームを採用する携帯電話通信システムにおいて、受信される信号において、タイミングパラメータを検出し、Ｍ個の可能なセルグループから特定のセルグループの識別を行なう方法であって、前記無線フレームは、同期チャネルに関連する２つのタイミングスロットを含む複数のタイムスロットから成る、前記方法は、
前記同期チャネルに関連する一方の前記タイムスロットで、第１の同期信号Ｓ１と第２の同期信号Ｓ２の一方を受信することと、
前記第１の同期信号Ｓ１は、第１の順序で配列された１対のシーケンスＳｉ〜、Ｓｊ〜を含み、前記第２の同期信号Ｓ２は、第２の順序で配列された前記１対のシーケンスＳｉ〜、Ｓｊ〜を含み、
複数の所定のシーケンスのどれが前記受信されたシーケンスＳｉ〜に最も一致するのか、前記複数の所定のシーケンスのどれが前記受信されたシーケンスＳｊ〜に最も一致するのか、かつ、前記１対の受信されたシーケンスＳｉ〜、Ｓｊ〜は前記第１の順序、または前記第２の順序で配列されたのか、を判定することと、
前記複数の所定のシーケンスは、少なくとも
【数３】
2010516132.tif 000018
個の異なるシーケンスを含むグループから選択され、
前記１対の受信されたシーケンスＳｉ〜、Ｓｊ〜がどのセルグループと一意的に関連付けられるかについての判定を含む、セルグループの識別工程を実行することによって、前記特定のセルグループを識別することと、
前記シーケンスＳｉ〜、Ｓｊ〜は前記第１の順序または前記第２の順序で受信されたのかを示す情報を用いて、前記同期チャネルに関連する前記２つのチャネルのどちらで、前記第１の同期信号と前記第２の同期信号の前記一方が受信されたのかを判定すること、を含む方法。
【請求項１３】
前記１対のシーケンスＳｉ〜、Ｓｊ〜の前記第１の順序は、前記シーケンスＳｉ〜に、前記シーケンスＳｊ〜の受信前に受信されるようにさせ、
前記１対のシーケンスＳｉ〜、Ｓｊ〜の前記第２の順序は、前記シーケンスＳｊ〜に、前記シーケンスＳｉ〜の受信前に受信されるようにさせる、請求項１２に記載の方法。
【請求項１４】
Ｓ１およびＳ２はそれぞれｎ長であり、各前記シーケンスＳｉ〜、Ｓｊ〜はｎ／２長である、請求項１３に記載の方法。
【請求項１５】
前記携帯電話通信システムの前記物理層は直交周波数分割多重方式を採用し、
前記１対のシーケンスＳｉ〜、Ｓｊ〜の前記第１の順序は、前記シーケンスＳｉ〜に、１つ以上のサブキャリアの第１の組で受信されるようにさせ、かつ、前記シーケンスＳｊ〜に、１つ以上のサブキャリアの第２の組で受信されるようにさせ、
前記１対のシーケンスＳｉ〜、Ｓｊ〜の前記第２の順序は、前記シーケンスＳｊ〜に、１つ以上のサブキャリアの前記第１の組で受信されるようにさせ、かつ、前記シーケンスＳｉ〜に、１つ以上のサブキャリアの前記第２の組で受信されるようにさせる、請求項１２に記載の方法。
【請求項１６】
前記第１の同期信号Ｓ１と、前記第２の同期信号Ｓ２と、前記シーケンスＳｉ〜と、前記シーケンスＳｊ〜と、は全て長さが等しい、請求項１５に記載の方法。
【請求項１７】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、前記シーケンスＳｉ〜に、周波数の第１の組で受信されるようにさせ、かつ、前記シーケンスＳｊ〜に、周波数の第２の組で受信されるようにさせ、
前記１対のシーケンスＳｉ〜、Ｓｊ〜の前記第２の順序は、前記シーケンスＳｉ〜に、周波数の前記第１の組で受信されるようにさせ、かつ、前記シーケンスＳｊ〜に、周波数の前記第２の組で受信されるようにさせる、請求項１２に記載の方法。
【請求項１８】
前記１対の受信されたシーケンスＳｉ〜、Ｓｊ〜が前記第１の順序、または前記第２の順序で配列されたのかについての判定は、前記第１の同期信号と前記第２の同期信号の前記受信された一方が、以下の式によって表されるのかについての判定を含む、
【数４】
2010516132.tif 000019
但し、
αは第１の被乗数であり、
βは第２の被乗数であり、かつ、α≠β
請求項１２に記載の方法。
【請求項１９】
各前記被乗数αおよびβはスカラー値であり、信号振幅の量に対応する、請求項１８に記載の方法。
【請求項２０】
各前記被乗数αおよびβはスカラー値であり、信号電力の量に対応する、請求項１８に記載の方法。
【請求項２１】
前記第１の同期信号Ｓ１と、前記第２の同期信号Ｓ２と、前記シーケンスＳｉ〜と、前記シーケンスＳｊ〜と、は全て長さが等しい、請求項１８に記載の方法。
【請求項２２】
前記同期チャネルに関連する一方の前記タイムスロットで、前記第１の同期信号Ｓ１と前記第２の同期信号Ｓ２の一方を受信することは、前記１対のシーケンスＳｉ〜、Ｓｊ〜を同時に受信することを含む、請求項１２に記載の方法。
【請求項２３】
前記同期チャネルに関連する２つの前記タイムスロットのどちらで、前記第１の同期信号と前記第２の同期信号の前記一方が受信されたのかを示す情報を用いて、無線フレームタイミングを検出することを含む、請求項１２に記載の方法。
【請求項２４】
前記１対の受信されたシーケンスＳｉ〜、Ｓｊ〜がどのセルグループと一意的に関連付けられるのかを判定することにより、前記特定のセルグループを識別することは、参照テーブル内でエントリの位置を特定するために前記１対のシーケンスＳｉ〜、Ｓｊ〜を用いることを含む、請求項１２に記載の方法。
【請求項２５】
前記１対の受信されたシーケンスＳｉ〜、Ｓｊ〜がどのセルグループと一意的に関連付けられるのかを判定することにより、前記特定のセルグループを識別することは、計算回路によって実行される、請求項１２に記載の方法。
【請求項２６】
前記同期チャネルに関連する前記２つのタイムスロットのどちらで、前記第１の同期信号と前記第２の同期信号の前記受信された一方が受信されたのかを判定するために、前記シーケンスＳｉ〜、Ｓｊ〜が前記第１の順序または前記第２の順序で配列されたのかについての情報を用いることは、参照テーブル内でエントリの位置を特定するために前記１対の受信されたシーケンスＳｉ〜、Ｓｊ〜を用いることを含む、請求項１２に記載の方法。
【請求項２７】
前記同期チャネルに関連する前記２つのタイムスロットのどちらで、前記第１の同期信号と前記第２の同期信号の前記受信された一方が受信されたのかを判定するために、前記シーケンスＳｉ〜、Ｓｊ〜が前記第１の順序または前記第２の順序で配列されたのかについての情報を用いることは、計算回路によって実行される、請求項１２に記載の方法。
【請求項２８】
前記同期チャネルに関連する他方の前記タイムスロットで、前記第１の同期信号と前記第２の同期信号の他方を受信することと、
実行されるセル探索の手続きの種類が、周波数間のセル探索の手続きであるかを判定することと、
実行されるセル探索の手続きの前記種類が、無線アクセス技術間のセル探索の手続きであるかを判定することと、
実行されるセル探索の手続きの前記種類が、セル間の探索の手続きであるかを判定することと、
実行されるセル探索の手続きの前記種類が、前記周波数間のセル探索の手続き、前記無線アクセス技術間のセル探索の手続き、または、前記セル間探索の手続きのいずれでもない場合には、
前記複数の所定のシーケンスのどれが、前記第１の同期信号と前記第２の同期信号の前記他方の前記受信されたシーケンスＳｉ〜に最も一致するのか、前記複数の所定のシーケンスのどれが、前記第１の同期信号と前記第２の同期信号の前記他方の前記受信されたシーケンスＳｊ〜に最も一致するのか、かつ、前記第１の同期信号と前記第２の同期信号の前記他方の前記１対の受信されたシーケンスＳｉ〜、Ｓｊ〜は、前記第１の順序または前記第２の順序で配列されたのかについての判定を実行すること、を含み、
セルグループの識別工程はさらに、前記第１の同期信号と前記第２の同期信号の前記他方の前記１対の受信されたシーケンスＳｉ〜、Ｓｊ〜が、どのセルグループと一意的に関連付けられるのかを判定することを含む、請求項１２に記載の方法。
【請求項２９】
物理層で無線フレームを採用する携帯電話通信システムにおいて、送信される信号において、タイミングパラメータを指示し、Ｍ個の可能なセルグループから特定のセルグループの識別を行なう装置であって、前記無線フレームは複数のタイムスロットから成る、前記装置は、
前記無線フレームの既知の１のタイムスロットで、第１の順序で配列された１対のシーケンスＳｉ〜、Ｓｊ〜を含む同期信号Ｓ１を送信するために構成されたロジックと、
前記無線フレームの既知の別の既知のタイムスロットで、第２の順序で配列された前記１対のシーケンスＳｉ〜、Ｓｊ〜を含む同期信号Ｓ２を送信するために構成されたロジックと、を含み、
前記１対のシーケンスＳｉ〜、Ｓｊ〜のそれぞれは、少なくとも
【数５】
2010516132.tif 000020
個の異なるシーケンスを含むグループから選択され、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜であり、
前記シーケンスの前記第１の順序は、前記無線フレームの前記既知の１のタイムスロットでの送信のために用いられ、前記シーケンスの前記第２の順序は、前記既知の別のタイムスロットでの送信のために用いられる装置。
【請求項３０】
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、前記シーケンスＳｊ〜の送信前に前記シーケンスＳｉ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、前記シーケンスＳｉ〜の送信前に前記シーケンスＳｊ〜を送信することによって、前記１対のシーケンスＳｉ〜、Ｓｊ〜の前記第２の順序に作用する、請求項２９に記載の装置。
【請求項３１】
Ｓ１およびＳ２はそれぞれｎ長であり、各前記シーケンスＳｉ〜、Ｓｊ〜はｎ／２長である、請求項３０に記載の装置。
【請求項３２】
前記携帯電話通信システムの前記物理層は直交周波数分割多重方式を採用し、
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、１つ以上のサブキャリアの第１の組で前記シーケンスＳｉ〜を送信し、かつ、１つ以上のサブキャリアの第２の組で前記シーケンスＳｊ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、１つ以上のサブキャリアの前記第１の組で前記シーケンスＳｊ〜を送信し、かつ、１つ以上のサブキャリアの前記第２の組で前記シーケンスＳｉ〜を送信することによって、前記１対のシーケンスＳｉ〜、Ｓｊ〜の前記第２の順序に作用する、請求項２９に記載の装置。
【請求項３３】
前記第１の同期信号Ｓ１と、前記第２の同期信号Ｓ２と、前記シーケンスＳｉ〜と、前記シーケンスＳｊ〜と、は全て長さが等しい、請求項３２に記載の装置。
【請求項３４】
前記携帯電話通信システムの前記物理層において、前記同期信号Ｓ１のシンボルは周波数ドメインにおいて区別され、
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、周波数の第１の組で前記シーケンスＳｉ〜を送信し、かつ、周波数の第２の組で前記シーケンスＳｊ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、周波数の前記第１の組で前記シーケンスＳｊ〜を送信し、かつ、周波数の前記第２の組で前記シーケンスＳｉ〜を送信することによって、前記１対のシーケンスＳｉ〜、Ｓｊ〜の前記第２の順序に作用する、請求項２９に記載の装置。
【請求項３５】
前記同期信号Ｓ１およびＳ２を、以下の式に従って生成するために構成されたロジックを含む、
【数６】
2010516132.tif 000021
但し、
αは第１の被乗数であり、
βは第２の被乗数であり、かつ、α≠β
請求項２９に記載の装置。
【請求項３６】
各前記被乗数αおよびβはスカラー値であり、信号振幅の量に対応する、請求項３５に記載の装置。
【請求項３７】
各前記被乗数αおよびβはスカラー値であり、信号電力の量に対応する、請求項３５に記載の装置。
【請求項３８】
前記同期信号Ｓ１と、前記同期信号Ｓ２と、前記シーケンスＳｉ〜と、前記シーケンスＳｊ〜と、は全て長さが等しい、請求項３５に記載の装置。
【請求項３９】
前記同期信号Ｓ１を送信するために構成された前記ロジックは、αＳｉ〜およびβＳｊ〜を同時に送信するために構成されたロジックを含み、
前記同期信号Ｓ２を送信するために構成された前記ロジックは、βＳｉ〜およびαＳｊ〜を同時に送信することを含む、請求項３５に記載の装置。
【請求項４０】
前記無線フレームの前記既知の１のタイムスロットでの送信のための前記シーケンスの前記第１の順序の前記使用、および、前記既知の別のタイムスロットでの送信のための前記シーケンスの前記第２の順序の前記使用は、前記同期信号Ｓ１と前記同期信号Ｓ２の一方を用いた無線フレームタイミングの検出を可能にする、請求項２９に記載の装置。
【請求項４１】
物理層で無線フレームを採用する携帯電話通信システムにおいて、受信される信号において、タイミングパラメータを検出し、Ｍ個の可能なセルグループから特定のセルグループの識別を行なう装置であって、前記無線フレームは、同期チャネルに関連する２つのタイミングスロットを含む複数のタイムスロットから成る、前記装置は、
前記同期チャネルに関連する一方の前記タイムスロットで、第１の同期信号Ｓ１と第２の同期信号Ｓ２の一方を受信するために構成されたロジックと、
前記第１の同期信号Ｓ１は、第１の順序で配列された１対のシーケンスＳｉ〜、Ｓｊ〜を含み、前記第２の同期信号Ｓ２は、第２の順序で配列された前記１対のシーケンスＳｉ〜、Ｓｊ〜を含み、
複数の所定のシーケンスのどれが前記受信されたシーケンスＳｉ〜に最も一致するのか、前記複数の所定のシーケンスのどれが前記受信されたシーケンスＳｊ〜に最も一致するのか、かつ、前記１対の受信されたシーケンスＳｉ〜、Ｓｊ〜は前記第１の順序、または前記第２の順序で配列されたのか、を判定するために構成されたロジックと、
前記複数の所定のシーケンスは、少なくとも
【数７】
2010516132.tif 000022
個の異なるシーケンスを含むグループから選択され、
前記１対の受信されたシーケンスＳｉ〜、Ｓｊ〜がどのセルグループと一意的に関連付けられるかについての判定を含む、セルグループの識別工程を実行することによって、前記特定のセルグループを識別するために構成されたロジックと、
前記シーケンスＳｉ〜、Ｓｊ〜は前記第１の順序または前記第２の順序で受信されたのかを示す情報を用いて、前記同期チャネルに関連する前記２つのチャネルのどちらで、前記第１の同期信号と前記第２の同期信号の前記一方が受信されたのかを判定するために構成されたロジックと、を含む装置。
【請求項４２】
前記１対のシーケンスＳｉ〜、Ｓｊ〜の前記第１の順序は、前記シーケンスＳｉ〜に、前記シーケンスＳｊ〜の受信前に受信されるようさせ、
前記１対のシーケンスＳｉ〜、Ｓｊ〜の前記第２の順序は、前記シーケンスＳｊ〜に、前記シーケンスＳｉ〜の受信前に受信されるようにさせる、請求項４１に記載の装置。
【請求項４３】
Ｓ１およびＳ２はそれぞれｎ長であり、各前記シーケンスＳｉ〜、Ｓｊ〜はｎ／２長である、請求項４２に記載の装置。
【請求項４４】
前記携帯電話通信システムの前記物理層は直交周波数分割多重方式を採用し、
前記１対のシーケンスＳｉ〜、Ｓｊ〜の前記第１の順序は、前記シーケンスＳｉ〜に、１つ以上のサブキャリアの第１の組で受信されるようにさせ、かつ、前記シーケンスＳｊ〜に、１つ以上のサブキャリアの第２の組で受信されるようにさせ、
前記１対のシーケンスＳｉ〜、Ｓｊ〜の前記第２の順序は、前記シーケンスＳｊ〜に、１つ以上のサブキャリアの前記第１の組で受信されるようにさせ、かつ、前記シーケンスＳｉ〜に、１つ以上のサブキャリアの前記第２の組で受信されるようにさせる、請求項４１に記載の装置。
【請求項４５】
前記第１の同期信号Ｓ１と、前記第２の同期信号Ｓ２と、前記シーケンスＳｉ〜と、前記シーケンスＳｊ〜と、は全て長さが等しい、請求項４４に記載の装置。
【請求項４６】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、前記シーケンスＳｉ〜に、周波数の第１の組で受信されるようにさせ、かつ、前記シーケンスＳｊ〜に、周波数の第２の組で受信されるようにさせ、
前記１対のシーケンスＳｉ〜、Ｓｊ〜の前記第２の順序は、前記シーケンスＳｊ〜に、周波数の前記第１の組で受信されるようにさせ、かつ、前記シーケンスＳｉ〜に、周波数の前記第２の組で受信されるようにさせる、請求項４１に記載の装置。
【請求項４７】
前記１対の受信されたシーケンスＳｉ〜、Ｓｊ〜が前記第１の順序、または前記第２の順序で配列されたのかについて判定するために構成された前記ロジックは、前記第１の同期信号と前記第２の同期信号の前記受信された一方が、以下の式によって表されるのかを判定するために構成されたロジックを含む、
【数８】
2010516132.tif 000023
但し、
αは第１の被乗数であり、
βは第２の被乗数であり、かつ、α≠β
請求項４１に記載の装置。
【請求項４８】
各前記被乗数αおよびβはスカラー値であり、信号振幅の量に対応する、請求項４７に記載の装置。
【請求項４９】
各前記被乗数αおよびβはスカラー値であり、信号電力の量に対応する、請求項４７に記載の装置。
【請求項５０】
前記第１の同期信号Ｓ１と、前記第２の同期信号Ｓ２と、前記シーケンスＳｉ〜と、前記シーケンスＳｊ〜と、は全て長さが等しい、請求項４７に記載の装置。
【請求項５１】
前記同期チャネルに関連する一方の前記タイムスロットで、前記第１の同期信号Ｓ１と前記第２の同期信号Ｓ２の一方を受信するために構成された前記ロジックは、前記１対のシーケンスＳｉ〜、Ｓｊ〜を同時に受信するために構成されたロジックを含む、請求項４１に記載の装置。
【請求項５２】
前記同期チャネルに関連する前記２つのタイムスロットのどちらで、前記第１の同期信号と前記第２の同期信号の前記一方が受信されたのかを示す情報を用いて、無線フレームタイミングを検出するために構成されたロジックを含む、請求項４１に記載の装置。
【請求項５３】
前記１対の受信されたシーケンスＳｉ〜、Ｓｊ〜がどのセルグループと一意的に関連付けられるのかを判定することにより、前記特定のセルグループを識別するために構成された前記ロジックは、参照テーブル内でエントリの位置を特定するために前記１対の受信されたシーケンスＳｉ〜、Ｓｊ〜を用いるために構成されたロジックを含む、請求項４１に記載の方法。
【請求項５４】
前記１対の受信されたシーケンスＳｉ〜、Ｓｊ〜がどのセルグループと一意的に関連付けられるのかを判定することにより、前記特定のセルグループを識別するために構成された前記ロジックは、計算回路を含む、請求項４１に記載の方法。
【請求項５５】
前記シーケンスＳｉ〜、Ｓｊ〜は前記第１の順序または前記第２の順序で受信されたのかを示す情報を用いて、前記同期チャネルに関連する前記２つのタイムスロットのどちらで前記第１の同期信号と前記第２の同期信号の前記一方が受信されたのか、を判定するために構成された前記ロジックは、
参照テーブルと、
前記参照テーブル内でエントリの位置を特定するために前記１対の受信されたシーケンスＳｉ〜、Ｓｊ〜を用いるために構成されたロジックと、を含む、請求項４１に記載の装置。
【請求項５６】
前記シーケンスＳｉ〜、Ｓｊ〜は前記第１の順序または前記第２の順序で受信されたのかを示す情報を用いて、前記同期チャネルに関連する前記２つのタイムスロットのどちらで前記第１の同期信号と前記第２の同期信号の前記一方が受信されたのか、を判定するために構成された前記ロジックは、
入力として前記１対の受信されたシーケンスＳｉ〜、Ｓｊ〜を得る計算回路を含む、請求項４１に記載の方法。
【請求項５７】
前記同期チャネルに関連する他方の前記タイムスロットで、前記第１の同期信号と前記第２の同期信号の他方を受信するために構成されたロジックと、
実行されるセル探索の手続きの種類が、周波数間のセル探索の手続きであるかを判定するために構成されたロジックと、
実行されるセル探索の手続きの前記種類が、無線アクセス技術間のセル探索の手続きであるかを判定するために構成されたロジックと、
実行されるセル探索の手続きの前記種類が、セル間の探索の手続きであるかを判定するために構成されたロジックと、
前記周波数間のセル探索の手続き、前記無線アクセス技術間のセル探索の手続き、または、前記セル間の探索の手続きのいずれでもない、実行されるセル探索の手続きの前記種類に対して、
前記複数の所定のシーケンスのどれが、前記第１の同期信号と前記第２の同期信号の前記他方の前記受信されたシーケンスＳｉ〜に最も一致するのか、前記複数の所定のシーケンスのどれが、前記第１の同期信号と前記第２の同期信号の前記他方の前記受信されたシーケンスＳｊ〜に最も一致するのか、かつ、前記第１の同期信号と前記第２の同期信号の前記他方の前記１対の受信されたシーケンスＳｉ〜、Ｓｊ〜は、前記第１の順序または前記第２の順序で配列されたのかについての判定を実行することによって、対応するために構成されたロジックと、を含み、
セルグループの識別工程はさらに、前記第１の同期信号と前記第２の同期信号の前記他方の前記１対の受信されたシーケンスＳｉ〜、Ｓｊ〜が、どのセルグループと一意的に関連付けられるのかを判定することを含む、請求項４１に記載の装置。
【発明の詳細な説明】
【技術分野】
【０００１】
本発明は、携帯電話通信システムにおいてセルを識別する方法および装置に関する。
【背景技術】
【０００２】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）および広帯域符号分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）のような移動携帯電話の標準規格の今後の進化においては、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）のような新しい送信技術が生れる可能性が高い。さらに、既存の無線スペクトルにおいて既存の携帯電話システムから新しい大容量高速データシステムへと円滑な移行を行なうために、新しいシステムは、寸法が変化する帯域幅を使用することが可能である必要がある。第三世代ロングタームエボルーション（３Ｇ  ＬＴＥ：Ｔｈｉｒｄ  Ｇｅｎｅｒａｔｉｏｎ  Ｌｏｎｇ  Ｔｅｒｍ  Ｅｖｏｌｕｔｉｏｎ）と呼ばれる、このような新しくフレキシブルな携帯電話システムの提案を、３Ｇ  ＷＣＤＭＡ標準規格の進化として捕らえることも可能である。このシステムは、ダウンリンクにおいて（ＯＦＤＭＡと呼ばれる）多重アクセス技術としてのＯＦＤＭを利用し、１.２５ＭＨｚから２０ＭＨｚに至る帯域幅で作動することが可能である。さらに、最大帯域幅のために１００Ｍｂ／ｓまでのデータ速度がサポートされる。しかし、３Ｇ  ＬＴＥは、高速サービスのみならず、音声のような低速サービスのためにも用いられることが見込まれる。３Ｇ  ＬＴＥは送信制御プロトコル／インターネットプロトコル（ＴＣＰ：Ｔｒａｎｓｍｉｓｓｉｏｎ  Ｃｏｎｔｒｏｌ  Ｐｒｏｔｏｃｏｌ／ＩＰ：Ｉｎｔｅｒｎｅｔ  Ｐｒｏｔｏｃｏｌ）のために設計されているので、ＶｏＩＰ（Ｖｏｉｃｅ  ｏｖｅｒ  ＩＰ）が通話を伝達するサービスである可能性が高い。
【０００３】
３Ｇ  ＬＴＥシステムの物理層は、１０ｍｓの汎用無線フレームを含む。図１は、１つのこのようなフレーム１００を示している。各フレームは（０から１９まで番号が付された）２０個のスロットを有しており、各スロットは０.５ｍｓである。サブフレームは、２つの隣接したスロットで構成されており、従って１ｍｓである。
【０００４】
ＬＴＥの１つの重要な観点は、移動機能（ｍｏｂｉｌｉｔｙ  ｆｕｎｃｔｉｏｎ）である。従って、ユーザ装置（ＵＥ：Ｕｓｅｒ  Ｅｑｕｉｐｍｅｎｔ）が別のセルを検出して同期できるためには、同期シンボル、およびセル探索の手続きが主に重要である。セル探索および同期化の手続きを容易にするために、定められた信号が、プライマリ同期信号およびセカンダリ同期信号（Ｐ−ＳｙＳ(ｐｒｉｍａｒｙ  ｓｙｎｃｈｒｏｎｉｚａｔｉｏｎ  ｓｉｇｎａｌ)およびＳ−ＳｙＳ(ｓｅｃｏｎｄａｒｙ  ｓｙｎｃｈｒｏｎｉｚａｔｉｏｎ  ｓｉｇｎａｌ）)を有し、それらはそれぞれ、プライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）およびセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）で送信される。図１に示すように、Ｐ−ＳｙＳおよびＳ−ＳｙＳはそれぞれ、フレームごとに２度、すなわち、サブフレーム０で１度、およびサブフレーム５で再びブロードキャストされる。
【０００５】
現在提案されているＬＴＥのためのセル探索の枠組みは、以下のとおりである。
１．３つの可能なＰ−ＳｙＳシンボルのうちの１つを検出し、それによって、５ｍｓのタイミングを指示し、現在の未知のセルグループ内でセルＩＤを識別する。
２．Ｓ−ＳｙＳを用いてフレームタイミングおよびセルグループを検出する。この結果とステップ１の結果を組み合わせることにより、完全なセルＩＤが示される。
３．セルＩＤを検出するために（ＣＱＩパイロットとも呼ばれる）基準シンボルを用いる。この提案についての詳細情報については、興味がある読者は、「Ｏｕｔｃｏｍｅ  ｏｆ  ｃｅｌｌ  ｓｅａｒｃｈ  ｄｒａｆｔｉｎｇ  ｓｅｓｓｉｏｎ」と題する文書Ｒ１−０６２９９０、ＴＳＧ−ＲＡＮ  ＷＧ１  ＃４６ｂｉｓ、Ｏｃｔｏｂｅｒ  ９−１３、２００６を参照されたい。
４．セル固有のシステム情報を受信するために、ブロードキャストチャネル（ＢＣＨ：Ｂｒｏａｄｃａｓｔ  Ｃｈａｎｎｅｌ）を読み出す。
【発明の概要】
【発明が解決しようとする課題】
【０００６】
Ｓ−ＳＣＨで送信されるＳｙＳ信号は、１対のシーケンスＳ１、Ｓ２として構成される（図１参照）。シーケンスは、周波数ドメインにおいて定められている。Ｓ−ＳＣＨ上で送信されるべき信号は、ＵＥにより一度検出されたセルグループと１０ｍｓフレームタイミングとを、Ｓｙｓの対Ｓ１、Ｓ２が一意的に定義できるように、構成されるべきであり、その際に、ＵＥによる検出は、セルグループのｐｎシーケンスが検出され、ＵＥが上記程の検証ステップ（第３段階）（すなわち、第１段階および第２段階の工程から検出されたセルＩＤの検証）を開始できるように行われる。
【０００７】
さらに、周波数間および無線アクセス技術間（ＩｎｔｅｒＲＡＴ：Ｉｎｔｅｒ−Ｒａｄｉｏ  Ａｃｃｅｓｓ  Ｔｅｃｈｎｏｌｏｇｙ）の測定が実行される際の中断時間を最小限にするために、１つのＳｙＳ（すなわちＳ１またはＳ２のみ）を用いてセルグループを検出ことが可能であるのが望ましい。
【０００８】
従って、両要件を満たすＳ−ＳｙＳシーケンスの設計が必要である。
【課題を解決するための手段】
【０００９】
「含む」および「含んでいる」という語は、本明細書で使用される場合、述べられた特徴、整数、ステップ、または構成要素の存在を特定するために用いられることを重視されたい。しかし、これらの語の使用は、１つ以上の他の特徴、整数、ステップ、構成要素またはその集合の存在または追加を除外しない。
【００１０】
本発明の１つの観点によれば、先の述べた目的および他のことが、物理層で無線フレームを採用する携帯電話通信システムにおいて、送信される信号において、タイミングパラメータを指示し、Ｍ個の可能なセルグループから特定のセルグループの識別を行なう方法および装置であって、上記無線フレームは複数のタイムスロットから成る、上記方法および装置において達成される。これらパラメータを指示することは、上記無線フレームの既知の１のタイムスロットで、第１の順序で配列された１対のシーケンス
【数１】
2010516132.tif 000003
を含む同期信号Ｓ１を送信し、上記無線フレームの既知の別の既知のタイムスロットで、第２の順序で配列された前記１対のシーケンスＳｉ〜、Ｓｊ〜を含む同期信号Ｓ２を送信すること、を含み、上記１対のシーケンスＳｉ〜、Ｓｊ〜のそれぞれは、少なくとも
【数２】
2010516132.tif 000004
個の異なるシーケンスを含むグループから選択され、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜である。
【００１１】
上記シーケンスの上記第１の順序は、上記無線フレームの上記既知の１のタイムスロットでの送信のために用いられ、上記シーケンスの前記第２の順序は、上記既知の別のタイムスロットでの送信のために用いられる。従って、１対のシーケンスの順序の検出が、タイムスロット識別子としての受信機によって利用されることが可能であり、このこともさらに無線フレームタイミングが判定されるようにする。
【００１２】
幾つかの実施形態において、上記１対のシーケンスＳｉ〜、Ｓｊ〜の上記第１の順序は、上記シーケンスＳｊ〜の送信前の上記シーケンスＳｉ〜の送信により作用を受け、上記１対のシーケンスＳｉ〜、Ｓｊ〜の上記第２の順序は、上記シーケンスＳｉ〜の送信前の上記シーケンスＳｊ〜の送信により作用を受ける。このような場合に、Ｓ１およびＳ２はそれぞれｎ長であってもよく、各前記シーケンスＳｉ〜、Ｓｊ〜はｎ／２長であってもよい。
【００１３】
代替的な実施形態において、上記携帯電話通信システムの上記物理層が直交周波数分割多重方式を採用し、上記１対のシーケンスＳｉ〜、Ｓｊ〜の上記第１の順序は、１つ以上のサブキャリアの第１の組での上記シーケンスＳｉ〜の送信、および、１つ以上のサブキャリアの第２の組での上記シーケンスＳｊ〜の送信により作用を受ける。従って、上記１対のシーケンスＳｉ〜、Ｓｊ〜の上記第２の順序は、１つ以上のサブキャリアの上記第１の組での上記シーケンスＳｊ〜の送信、および、１つ以上のサブキャリアの上記第２の組での上記シーケンスＳｉ〜の送信により作用を受ける。
【００１４】
更に別の代替的な実施形態において、上記一対のシーケンスの順序は、前記同期信号Ｓ１およびＳ２を、以下の式に従って生成することにより作用を受けることもある。
【数３】
2010516132.tif 000005
但し、
αは第１の被乗数であり、
βは第２の被乗数であり、かつ、α≠β
【００１５】
各上記被乗数αおよびβは、例えばスカラー値であって、信号振幅の量に対応してもよい。代替的に、各上記被乗数αおよびβは、信号電力の量に対応してもよい。
【００１６】
幾つかのこのような実施形態において、上記同期信号Ｓ１と、上記同期信号Ｓ２と、上記シーケンスＳｉ〜と、上記シーケンスＳｊ〜と、は全て長さが等しくてもよい。
【００１７】
このような実施形態の幾つかの変形例において、上記同期信号Ｓ１を送信することは、αＳｉ〜およびβＳｊ〜を同時に送信することを含み、上記同期信号Ｓ２を送信することは、βＳｉ〜およびαＳｊ〜を同時に送信することを含む。
【００１８】
本発明の様々な観点は、通信システムの受信機側でも反映され、物理層で無線フレームを採用する携帯電話通信システムにおいて、受信される信号において、タイミングパラメータを検出し、Ｍ個の可能なセルグループから特定のセルグループの識別を行なう方法および装置であって、上記無線フレームは、同期チャネルに関連する２つのタイミングスロットを含む複数のタイムスロットから成る、上記方法および装置が提供される。このような検出は、上記同期チャネルに関連する一方の上記タイムスロットで、第１の同期信号Ｓ１と第２の同期信号Ｓ２の一方を受信することを含み、上記第１の同期信号Ｓ１は、第１の順序で配列された１対のシーケンスＳｉ〜、Ｓｊ〜を含み、上記第２の同期信号Ｓ２は、第２の順序で配列された上記１対のシーケンスＳｉ〜、Ｓｊ〜を含む。その後、複数の所定のシーケンスのどれが上記受信されたシーケンスＳｉ〜に最も一致するのか、上記複数の所定のシーケンスのどれが上記受信されたシーケンスＳｊ〜に最も一致するのか、かつ、上記１対の受信されたシーケンスＳｉ〜、Ｓｊ〜は上記第１の順序、または上記第２の順序で配列されたのか、について判定され、上記複数の所定のシーケンスは、少なくとも
【数４】
2010516132.tif 000006
個の異なるシーケンスを含むグループから選択される。
【００１９】
上記１対の受信されたシーケンスＳｉ〜、Ｓｊ〜がどのセルグループと一意的に関連付けられるかについての判定を含む、セルグループの識別工程を実行することによって、上記特定のセルグループが識別される。さらに、上記シーケンスＳｉ〜、Ｓｊ〜は上記第１の順序または上記第２の順序で受信されたのかを示す情報を用いて、上記同期チャネルに関連する上記２つのチャネルのどちらで、上記第１の同期信号と上記第２の同期信号の上記一方が受信されたのか、について判定される。
【００２０】
更に他の観点において、上記１対の受信されたシーケンスＳｉ〜、Ｓｊ〜がどのセルグループと一意的に関連付けられるのかを判定することにより、上記特定のセルグループを識別することは、参照テーブル内でエントリの位置を特定するために上記１対のシーケンスＳｉ〜、Ｓｊ〜を用いることを含む。
【００２１】
更に別の観点において、上記同期チャネルに関連する上記２つのタイムスロットのどちらで、上記第１の同期信号と上記第２の同期信号の上記受信された一方が受信されたのかを判定するために、上記シーケンスＳｉ〜、Ｓｊ〜が上記第１の順序または上記第２の順序で配列されたのかについての情報を用いることは、参照テーブル内でエントリの位置を特定するために上記１対の受信されたシーケンスＳｉ〜、Ｓｊ〜を用いることを含む。
【００２２】
他の観点において、受信された同期信号の一方または両方に依拠するかどうかについては、実行されるセル探索の種類に従ってもよい。例えば、このような実施形態は、上記同期チャネルに関連する他方の上記タイムスロットで、上記第１の同期信号と上記第２の同期信号の他方を受信することを含む。その後、実行されるセル探索の手続きの種類が、周波数間のセル探索の手続き、無線アクセス技術間のセル探索の手続き、または、セル間の探索の手続きであるか、について判定される。実行されるセル探索の手続きの上記種類が、これらのいずれでもない場合には、上記複数の所定のシーケンスのどれが、上記第１の同期信号と上記第２の同期信号の上記他方の上記受信されたシーケンスＳｉ〜に最も一致するのか、上記複数の所定のシーケンスのどれが、上記第１の同期信号と上記第２の同期信号の上記他方の上記受信されたシーケンスＳｊ〜に最も一致するのか、かつ、上記第１の同期信号と上記第２の同期信号の上記他方の上記１対の受信されたシーケンスＳｉ〜、Ｓｊ〜は、上記第１の順序または上記第２の順序で配列されたのか、について判定される。このような場合に、セルグループの識別工程はさらに、上記第１の同期信号と上記第２の同期信号の上記他方の上記１対の受信されたシーケンスＳｉ〜、Ｓｊ〜が、どのセルグループと一意的に関連付けられるのかを判定することを含む。
【図面の簡単な説明】
【００２３】
本発明の目的および効果は、図に関連する以下の詳細な記載を読むことにより理解される。
【図１】３Ｇ  ＬＴＥシステムのような通信システムに適した例示的な無線フレームである。
【図２（ａ）】本発明と一致する実施形態の１つの観点に従った、シーケンスＳｉ〜、Ｓｊ〜からのシンボルＳｉ（１≦ｉ≦２）を構成する複数の例示的な代替方法を示す。
【図２（ｂ）】本発明と一致する代替的な実施形態の１つの観点に従った、各ＳｙＳシーケンスＳ１およびＳ２を構成するサブシーケンスの周波数ドメインにおける代替的な配列を示す。
【図２（ｃ）】本発明と一致する代替的な実施形態の１つの観点に従った、各ＳｙＳシーケンスＳ１およびＳ２を構成するサブシーケンスの周波数ドメインにおける代替的な配列を示す。
【図２（ｄ）】本発明と一致する実施形態の１つの観点に従った、シーケンスＳｉ〜、Ｓｊ〜からのシンボルＳｉ（１≦ｉ≦２）を構成する複数の例示的な代替方法を示す。
【図３】本発明に一致する別の実施形態に従った、セルグループおよびフレームタイミングを判定するために進歩的なセカンダリ同期シンボルを利用するＵＥにおいて回路により実行される例示的な工程／ステップのフローチャートである。
【発明を実施するための形態】
【００２４】
ここで、図を参照しながら本発明の様々な特徴を記載するが、図においては、同様の部分は、同じ参照符号で示される。
【００２５】
本発明の様々な観点を、ここで、複数の例示的な実施形態に関連してより詳細に記載することにする。本発明の理解を促すために、本発明の多くの観点を、コンピュータシステムの構成要素、または、プログラムされた命令を実行することが可能な別のハードウェアの構成要素によって実行される一連の動作という意味において記載する。各実施形態において、様々な動作は、特殊回路（例えば、特殊な機能を実行するために相互接続された離散論理ゲートによって、１つ以上のプロセッサにより実行されているプログラム命令によって、または、双方の組み合わせによって実行される可能性があることが認識される。さらに、本発明は、追加的に、本明細書で記載する技術をプロセッサに実行させるコンピュータ命令の適切な集合を含む固体メモリ、磁気ディスク、または光ディスクのような、コンピュータ読取りが可能ないかなる形態の媒体でも完全に実現されると見なすことが可能である。従って、本発明の様々な観点は複数の異なる形態で実現されてもよく、このような形態全てが発明の範囲内にあるものと見なされる。本発明の様々な観点のそれぞれについて、本明細書では、いかなるこのような形態の実施形態も、記載された動作を実行するために「構成されたロジック」（“ｌｏｇｉｃ  ｃｏｎｆｉｇｕｒｅｄ  ｔｏ”）、または代替的に、記載された動作を実行する「ロジック」（“ｌｏｇｉｃ  ｔｈａｔ”）として示すことにする。
【００２６】
本発明と一致する実施形態の１つの観点は、１対の［Ｓ１、Ｓ２］がセルグループとフレームタイミングとを一意的に定め、同時に１つのＳｙＳ（すなわち、１対の［Ｓ１、Ｓ２］の一方のみ）を用いてセルグループ検出することを可能にするという要件を満たすために必要なＳ−ＳｙＳシーケンスの最小量の提供である。
【００２７】
他の観点は、セルグループの検出のために上述のＳ−ＳｙＳシーケンスを利用する方法および装置の提供である。
【００２８】
本発明の様々な観点のより良い理解を促すために、以下の説明は、ＬＴＥのセル探索の手続き、すなわち、セルグループの検出における例示的な第２段階の工程を想定する。しかし、本発明は、この例示的な実施形態に限定されるものではなく、むしろ、いずれの比較可能な無線通信環境にも適応可能である。
【００２９】
さらに、以下に記載するシーケンスは、タイムドメインおよび周波数ドメイン双方において定められ、検出されることが可能であり、利用される厳密なシーケンス(例えば、アダマール、ｐｎ、Ｚａｄｏｆｆ−Ｃｈｕ、Ｍシーケンス等)は、本発明によって限定されない。
【００３０】
検討を始めるために、Ｍ個の一意的なセルグループが必要とされ、かつ、各セルグループが１対のシーケンスＳｉ〜、Ｓｊ〜と一意的に関連付けられると仮定する。さらに、３Ｇ  ＬＴＥを非限定的な例とし、フレーム１００ごとに２つの位置で送信される（例えばサブフレーム０および５における、Ｓ１とラベル付けされたフレームでの第１の送信、および、Ｓ２とラベル付けされたフレームでの第２の送信）Ｓ−ＳｙＳシンボルはそれぞれ、これらシーケンスの関数として生成されると仮定する。すなわち、Ｓ１＝Ｆ１（Ｓ１〜、Ｓ２〜）、および、Ｓ２＝Ｆ１（Ｓ１〜、Ｓ２〜）である。これらシーケンスの少なくとも１つの検出は、サブフレーム０がどこに位置するかについての情報も与えるはずである。全上述の情報を提供するシーケンスの最小数は、以下のように決定することが可能である、すなわち、Ｎｓｅｑを、Ｍ個のセルグループを表すために必要なシーケンスの数とする。これらのシーケンスの可能な組み合わせの数は、１つの組み合わせについて２つとすると、Ｎｓｅｑ・（Ｎｓｅｑ−１）÷２と表わされる。従って、Ｍ個のセルグループを表わすＮｓｅｑの最小値は、以下の式に従って得られる。
【数５】
2010516132.tif 000007
これにより、以下の二次方程式が導かれる。
【数６】
2010516132.tif 000008
二次方程式の根を求めるための公知の二次方程式の解の公式を適用すると、上記の要件を満たすＮｓｅｑの正の値が、以下の式によって与えられることが分かる。
【数７】
2010516132.tif 000009
実際には、Ｎｓｅｑが非整数の数であることは認められない、従って、Ｎｓｅｑの許容可能な整数値は、以下の式によって与えられる。
【数８】
2010516132.tif 000010
但し、Ｃｅｉｌ（  ）は、最も近い整数まで引き数を四捨五入する関数である
【００３１】
簡単な例における上述のことを用いて、シーケンスの値が一意に組み合わさった（対になった）Ｍ＝３４０個の異なるセルグループを表したいと仮定する。この例で要求されるシーケンスの最小数は、以下のとおりである。
【数９】
2010516132.tif 000011
【００３２】
必要なシーケンスの数を最小限に抑えることが望ましい理由には、セルグループを検出するＵＥにおいて要求される工程の複雑さを軽減するということがある。図２（ａ）および図２（ｄ）は、Ｓｉ〜、Ｓｊ〜からのシンボルＳｉ（１≦ｉ≦２）を構成する複数の例示的な代替方法を示している。
【００３３】
図２（ａ）に関して、第１の例示的な実施形態は、特定のセルグループと関連付けられるシンボルＳｉとしての、対応する１対のシーケンスＳｉ〜、Ｓｊ〜（ｉ≠ｊ）の送信を含み、（タイムドメインまたは周波数ドメイン双方における）１対の順序は、送信されるシンボルがＳ１またはＳ２であるかを示している。Ｓｉ〜、Ｓｊ〜それぞれの長さは、本例では、Ｓｉの半分の長さである。（理論的には、Ｓｉ〜、Ｓｊ〜は同じ長さである必要はないが、実際には、それらはそうあるように選択されている。）例えば、タイムドメインの実施形態は、各無線フレームにおいて、セカンダリ同期信号Ｓ１＝Ｓｉ〜、Ｓｊ〜としての送信（すなわち、最初にＳｉ〜の送信、次いでＳｊ〜の送信）と、セカンダリ同期信号Ｓ２＝Ｓｊ〜、Ｓｉ〜としての送信（すなわち、最初にＳｊ〜の送信、次いでＳｉ〜の送信）と、を含むであろう。
【００３４】
代替的に、図２（ａ）に示す原則を適用した周波数ドメインの実施形態は、シーケンスＳｉ〜およびＳｊ〜を同時に送信し、例えば、シンボルＳ１の送信は、周波数のより低い組におけるシーケンスＳｉ〜の送信によって実行され、シーケンスＳｊ〜は周波数のより高い組において送信される。シンボルＳ２の送信はその反対であり、シーケンスＳｊ〜は周波数のより低い組において送信され、シーケンスＳｉ〜は周波数のより高い組において送信される。この構成は図２（ｂ）に示されている。
【００３５】
図２（ａ）に示す原則を適用した別の周波数ドメインの実施形態において、シーケンスＳｉ〜、Ｓｊ〜は、インターリービング方式（ｉｎｔｅｒｌｅａｖｉｎｇ）により同時に送信される。例えば、交互に配置された２組の周波数を想定する場合、シンボルＳ１の送信は、交互に配置された周波数の「より低い」（‘ｌｏｗｅｒ’）組におけるシーケンスＳｉ〜の送信、および、周波数の「より高い」（‘ｈｉｇｈｅｒ’）組におけるシーケンスＳｊ〜の送信によって実行することが可能である。（ここで、「より高い」および「より低い」という語は、１つの隣接したグループとしての周波数の組ではなく、むしろ、交互に配置された周波数に関連する１対のリソースエレメントを指し、従って、Ｓｉ〜に関連する一方のリソース要素は、Ｓｊ〜に関連する隣接するリソースエレメントよりも低い周波数にある。）シンボルＳ２の送信はその反対であり、シーケンスＳｊ〜は周波数のより低い組において送信され、シーケンスＳｉ〜は周波数のより高い組において送信される。この構成は、図２（ｃ）に示されている。
【００３６】
どちらの場合（すなわち、タイムドメインの実施形態、または、周波数の実施形態）でも、検出器（ＵＥ）は好適に、各シーケンスの対および順序を、セルグループ識別子およびフレームタイミング情報（すなわち、シーケンスの対の順序がサブフレーム０またはサブフレーム５を示すかどうか）と関連付ける参照テーブルを含み、従って、検出器はセルグループおよびフレームタイミングを容易に識別することが可能である。
【００３７】
図２（ｄ）に関して、他の例示的な代替的な実施形態は、シーケンスの対Ｓｉ〜、Ｓｊ〜（ｉ≠ｊ）の加重和としての各シンボルＳｉの生成を含み、各特定の対がＭ個のセルグループの１つと一意的に関連付けられる。さらに、各シーケンスに適用される重み付けの量が、シーケンスの対がサブフレーム０（Ｓ１）またはサブフレーム５（Ｓ２）で送信されているかどうかを示す。すなわち、各無線フレームのセカンダリ同期シンボルは、以下のように表わされる。
【数１０】
2010516132.tif 000012
【００３８】
このような実施形態において、各シーケンスＳｉ〜、Ｓｊ〜の長さは、シンボルＳｉの長さと同じであってもよく、両シーケンスは同時に送信される。シンボルがどちらのサブフレームで送信されているのかを示す異なる重み付け（αおよびβ、但しα≠β）は、互いに関係のある異なる振幅および／または電力でシーケンスを送信することによって、達成することが可能である。
【００３９】
本実施形態において、検出器（ＵＥ）は好適に、各シーケンスの対および（例えば、信号振幅および／または信号電力により示される）シーケンスの相対的な重み付けを、セルグループ識別子およびフレームタイミング情報（すなわち、適用された被乗数αおよびβはサブフレーム０またはサブフレーム５を示すかどうか）と関連付ける参照テーブルを含み、従って、検出器はセルグループおよびフレームタイミングを容易に識別することが可能である。代替的な実施形態において、論理回路が、各シーケンスの対およびシーケンスの相対的な重み付けを、セル識別子およびフレームタイミング情報と関連付け、従って、検出器はセルグループおよびフレームタイミングを容易に識別することが可能である。
【００４０】
被乗数αおよびβを構成するための１つの可能性は、それらを対角行列として解釈することである。すなわち、以下のようになる。
【数１１】
2010516132.tif 000013
従って、Ｓ１＝αＳｉ〜＋βＳｊ〜を、要素ごとの乗算として解釈することができる。すなわち、以下のようになる。
【数１２】
2010516132.tif 000014
但し、ｋはベクトルのｋ番目の要素である
【００４１】
被乗数αおよびβを構成するための代替的な方法は、Ｓ１の式において、βを、αの前のシーケンスの関数とすることである。すなわち、以下のようになる。
【数１３】
2010516132.tif 000015
本実施形態において、ＵＥは先ずシーケンスＳｉ〜を相関演算し、これを検出するべきである。その後、検出されたＳｉシーケンスに基づいて、ＵＥは、例えば、βシーケンスを判定するために参照テーブルを調べ、Ｓｊ〜を相関演算し、検出する。
【００４２】
更に別の代替案は、先に述べた案と類似しているが、代わりに、αを、βの前のシーケンスの関数とする。
【００４３】
当然のことながら、様々な実施形態は、ＯＦＤＭ環境と同様にＯＦＤＭ以外の環境でも実現することが可能である。ＯＦＤＭシステムでは、例えば、１対のシーケンスＳｉ〜、Ｓｊ〜の第１の順序は、１つ以上のサブキャリアの第１の組でのシーケンスＳｉ〜の送信、および、１つ以上のサブキャリアの第２の組でのシーケンスＳｊ〜の送信により作用を受ける可能性がある。１対のシーケンスＳｉ〜、Ｓｊ〜の第２の順序は、１つ以上のサブキャリアの上記第１の組でのシーケンスＳｊ〜の送信、および、１つ以上のサブキャリアの上記第２の組でのシーケンスＳｉ〜の送信により作用を受ける可能性がある。
【００４４】
ＯＦＤＭ以外の環境では、携帯電話通信システムの物理層は、周波数ドメインにおいて区別される、同期信号Ｓ１のシンボルも含むことが可能である。このような実施形態において、１対のシーケンスＳｉ〜、Ｓｊ〜の第１の順序は、周波数の第１の組でのシーケンスＳｉ〜の送信、および、周波数の第２の組でのシーケンスＳｊ〜の送信により作用を受ける可能性がある。１対のシーケンスＳｉ〜、Ｓｊ〜の第２の順序は、周波数の上記第１の組でのシーケンスＳｊ〜の送信、および、周波数の上記第２の組でのシーケンスＳｉ〜の送信により作用を受ける可能性がある。
【００４５】
図３は、本発明に一致する実施形態に従った、セルグループおよびフレームタイミングを判定するために上記のセカンダリ同期シンボル（ｓｅｃｏｎｄａｒｙ  ｓｙｎｃｈｒｏｎｉｚａｔｉｏｎ  ｓｙｍｂｏｌ）を利用するＵＥ（例えば、検出器）において回路により実行される例示的な工程／ステップのフローチャートである。図３に示される様々なブロックは、示される機能を実行するために構成されたＵＥのロジックを表すと見なすことも出来る。
【００４６】
ＵＥは、第１段階の工程を実行することから開始し、その工程は、セル探索を開始することと、Ｐ−ＳＣＨ上で受信されたＰ−ＳｙＳ信号を用いて、新たに検出されたセルのスロットタイミング（例えば、５ｍｓのタイミング）および、未知のセルグループ内でのセルＩＤを検出すること、を含む（ステップ３０１）。本ステップを実行するための技術は公知であり、本発明の範囲を超えている。
【００４７】
ここで、ＵＥは、第２段階の工程を実行する準備が整う。しかし、本発明に一致する実施形態のある観点に従って、実行されるセル探索の種類によって、Ｓ１およびＳ２双方が用いられるか、または、これらの一方が用いられるのかについて判定される。特に、複数の異なる種類のセル探索があり（すなわち、初期セル探索、隣接セル探索、周波数間のセル探索、無線アクセス技術間のセル探索）、それぞれが、フレームタイミングを検出し、セルのセルグループを識別するために第２段階の工程を実行する。セル探索の手続きは、基本的に異なる種類についても同じであるが、幾つかの相違もある。例えば、周波数内のセル探索のために、ＵＥは、サービングセルからのデータ受信と同時にセル探索を実行することが可能である。しかし、周波数間または無線アクセス技術間のセル探索のためには（例えば、ＧＭＳシステムに滞在し、ＬＴＥシステムのキャリアでセル探索を実行すること）、ＵＥは、セル探索のためにキャリアの周波数を変更する際にサービングセルからのデータ受信を中断する必要がある。中断期間（すなわち、データ受信における中断）を低減するために、１つの同期フレームにおいて全セル情報を検出できることが望まれる。これにより、複数の同期フレームを通じてセル探索の情報を蓄積するという可能性が消え、従って、周波数間および無線アクセス技術間のセル探索は、周波数内のセル探索よりも性能が悪いという結果になる。このことを調整するために、ネットワークは典型的に、周波数内のセル探索よりも遅い、周波数間および無線アクセス技術間のセル探索のためのセル探索を許容することが計画される。
【００４８】
初期セル探索の手続きに関しては、周波数エラーが大きい可能性がある。これにより、典型的に第１段階と第２段階の間で、周波数エラーの補正ステップを実行する必要性が生じる。初期セル探索の性能は、典型的に隣接セル探索の性能ほど良くはないが、初期セル探索は、ＵＥが起動された場合にのみ実行される。従って、ＵＥの全般的な性能に対して深刻な影響を及ぼさない。
【００４９】
ここで図３の検討に戻るが、実行されているセル探索の種類が、周波数間（「ＩＦ：ｉｎｔｅｒ−ｆｒｅｑｕｅｎｃｙ」）、セル間（「ＩＣ：ｉｎｔｅｒ−ｃｅｌｌ」）、または、無線アクセス技術間（ＩＲＡＴ：ｉｎｔｅｒ−ｒａｄｉｏ  ａｃｃｅｓｓ  ｔｅｃｈｎｏｌｏｇｙ）のセル探索であることが判定された場合には（決定ブロック３０３から出た「ＹＥＳ」の進路）、セルグループおよびフレームタイミングを検出するために、無線フレームごとに１つのＳ−ＳｙＳ（Ｓ１またはＳ２）のみ用いる、第２段階の工程が起動される（ステップ３０５）。相関電力を最大化するシーケンスの対Ｓｉ〜、Ｓｊ〜が、検出されたセルグループの標識として選択される。どの実施形態が実現されるかに従って、シーケンスの固有の順序、または代替的に、Ｓｉ〜、Ｓｊ〜の電力の順序関係が、フレームタイミング（例えば、ＬＴＥシステムでは１０ｍｓのタイミング）を判定する。
【００５０】
しかし、実行されているセル探索の種類が、周波数間、セル間、または無線アクセス技術間のセル探索の手続きではないことが判定された場合（決定ブロック３０３から出た「ＮＯ」の進路）、これは、ＵＥが、初期セル探索または隣接セル探索のような、フレームタイミングおよびセルグループのより正確な検出を要するセル探索を実行していることを意味している。従って、セルグループおよびフレームタイミングを検出するために、無線フレームごとに両方のＳ−ＳｙＳ（すなわち、Ｓ１およびＳ２の両方）を用いる、第２段階の工程が起動される（ステップ３０７）。
【００５１】
第２段階の工程（ステップ３０５またはステップ３０７）から獲得される結果は、その後、第３段階の工程を容易にするための通常の方法において用いられる。幾つかの実施形態において、これは、識別されたセルグループに関連する基準シンボルを用いて、以前の工程から獲得されたセルＩＤを検証することを含む（ステップ３０９）。すなわち、セルＩＤの検索に用いられる基準シンボルは、セルグループおよびセルＩＤによって判定されたスクランブリングコード（ｓｃｒａｍｂｌｉｎｇ  ｃｏｄｅ）を用いてスクランブルが解除される。
【００５２】
本例を完了するために、図３はさらに、ステップ４の工程（すなわち、セル固有のシステム情報を獲得するためにＢＣＨを読み出すこと）も実行されることも示している。しかし、第３段階または第４段階の工程も、本発明の本質的な観点ではなく、従って、ここではより詳細には記載しない。
【００５３】
特別な実施形態を参照しながら、本発明を解説してきた。しかし、上述した実施形態とは別の特定の形態で本発明を実現することが可能であることが当業者には容易に分かるであろう。記載した実施形態は、単に例示的なものであって、決して限定的と見なされるべきではない。本発明の範囲は、上述の記載よりむしろ添付の特許請求の範囲によって与えられており、特許請求の範囲内に収まる変形および均等物の全てが、本発明の範疇に入る。
【図１】
2010516132.tif 000024
【図２（ａ）】
2010516132.tif 000025
【図２（ｂ）】
2010516132.tif 000026
【図２（ｃ）】
2010516132.tif 000027
【図２（ｄ）】
2010516132.tif 000028
【図３】
2010516132.tif 000029
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
物理層で無線フレームを採用する携帯電話通信システムにおいて、送信される信号において、タイミングパラメータを指示し、Ｍ個の可能なセルグループから特定のセルグループの識別を行なう方法であって、前記無線フレームは複数のタイムスロットから成る、前記方法は、
前記無線フレームの既知の１のタイムスロットで、第１の順序で配列された１対のシーケンスＳｉ〜、Ｓｊ〜を含む同期信号Ｓ１を送信することと、
前記無線フレームの既知の別の既知のタイムスロットで、第２の順序で配列された前記１対のシーケンスＳｉ〜、Ｓｊ〜を含む同期信号Ｓ２を送信すること、を含み、
前記１対のシーケンスＳｉ〜、Ｓｊ〜のそれぞれは、少なくともＮｓｅｑ個の異なるシーケンスを含むグループから選択され、Ｎｓｅｑは少なくとも
【数１】
2010516132.tif 000030
個の異なるシーケンスであり、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜であり、
前記シーケンスの前記第１の順序は、前記無線フレームの前記既知の１のタイムスロットでの送信のために用いられ、前記シーケンスの前記第２の順序は、前記既知の別のタイムスロットでの送信のために用いられる方法。
【請求項２】
前記携帯電話通信システムの前記物理層は直交周波数分割多重方式を採用し、
前記１対のシーケンスＳｉ〜、Ｓｊ〜の前記第１の順序は、１つ以上のサブキャリアの第１の組での前記シーケンスＳｉ〜の送信、および、１つ以上のサブキャリアの第２の組での前記シーケンスＳｊ〜の送信により作用を受け、
前記１対のシーケンスＳｉ〜、Ｓｊ〜の前記第２の順序は、１つ以上のサブキャリアの前記第１の組での前記シーケンスＳｊ〜の送信、および、１つ以上のサブキャリアの前記第２の組での前記シーケンスＳｉ〜の送信により作用を受ける、請求項１に記載の方法。
【請求項３】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、周波数の第１の組での前記シーケンスＳｉ〜の送信、および、周波数の第２の組での前記シーケンスＳｊ〜の送信により作用を受け、
前記１対のシーケンスＳｉ〜、Ｓｊ〜の前記第２の順序は、周波数の前記第１の組での前記シーケンスＳｊ〜の送信、および、周波数の前記第２の組での前記シーケンスＳｉ〜の送信により作用を受ける、請求項１に記載の方法。
【請求項４】
前記無線フレームの前記既知の１のタイムスロットでの送信のための前記シーケンスの前記第１の順序の前記使用、および、前記既知の別のタイムスロットでの送信のための前記シーケンスの前記第２の順序の前記使用は、前記同期信号Ｓ1と前記同期信号Ｓ２の一方を用いた無線フレームタイミングの検出を可能にする、請求項１に記載の方法。
【請求項５】
物理層で無線フレームを採用する携帯電話通信システムにおいて、受信される信号において、タイミングパラメータを検出し、Ｍ個の可能なセルグループから特定のセルグループの識別を行なう方法であって、前記無線フレームは、同期チャネルに関連する２つのタイミングスロットを含む複数のタイムスロットから成る、前記方法は、
前記同期チャネルに関連する一方の前記タイムスロットで、第１の同期信号Ｓ１と第２の同期信号Ｓ２の一方を受信することと、
前記第１の同期信号Ｓ１は、第１の順序で配列された１対のシーケンスＳｉ〜、Ｓｊ〜を含み、前記第２の同期信号Ｓ２は、第２の順序で配列された前記１対のシーケンスＳｉ〜、Ｓｊ〜を含み、
複数の所定のシーケンスのどれが前記受信されたシーケンスＳｉ〜に最も一致するのか、前記複数の所定のシーケンスのどれが前記受信されたシーケンスＳｊ〜に最も一致するのか、かつ、前記１対の受信されたシーケンスＳｉ〜、Ｓｊ〜は前記第１の順序、または前記第２の順序で配列されたのか、を判定することと、
前記複数の所定のシーケンスは、Ｎｓｅｑ個の異なるシーケンスを含むグループから選択され、Ｎｓｅｑは少なくとも
【数２】
2010516132.tif 000031
個の異なるシーケンスであり、
前記１対の受信されたシーケンスＳｉ〜、Ｓｊ〜がどのセルグループと一意的に関連付けられるかについての判定を含む、セルグループの識別工程を実行することによって、前記特定のセルグループを識別することと、
前記シーケンスＳｉ〜、Ｓｊ〜は前記第１の順序または前記第２の順序で受信されたのかを示す情報を用いて、前記同期チャネルに関連する前記２つのチャネルのどちらで、前記第１の同期信号と前記第２の同期信号の前記一方が受信されたのかを判定すること、を含む方法。
【請求項６】
前記携帯電話通信システムの前記物理層は直交周波数分割多重方式を採用し、
前記１対のシーケンスＳｉ〜、Ｓｊ〜の前記第１の順序は、前記シーケンスＳｉ〜に、１つ以上のサブキャリアの第１の組で受信されるようにさせ、かつ、前記シーケンスＳｊ〜に、１つ以上のサブキャリアの第２の組で受信されるようにさせ、
前記１対のシーケンスＳｉ〜、Ｓｊ〜の前記第２の順序は、前記シーケンスＳｊ〜に、１つ以上のサブキャリアの前記第１の組で受信されるようにさせ、かつ、前記シーケンスＳｉ〜に、１つ以上のサブキャリアの前記第２の組で受信されるようにさせる、請求項５に記載の方法。
【請求項７】
前記第１の同期信号Ｓ１と、前記第２の同期信号Ｓ２と、前記シーケンスＳｉ〜と、前記シーケンスＳｊ〜と、は全て長さが等しい、請求項６に記載の方法。
【請求項８】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、前記シーケンスＳｉ〜に、周波数の第１の組で受信されるようにさせ、かつ、前記シーケンスＳｊ〜に、周波数の第２の組で受信されるようにさせ、
前記１対のシーケンスＳｉ〜、Ｓｊ〜の前記第２の順序は、前記シーケンスＳｉ〜に、周波数の前記第１の組で受信されるようにさせ、かつ、前記シーケンスＳｊ〜に、周波数の前記第２の組で受信されるようにさせる、請求項５に記載の方法。
【請求項９】
前記同期チャネルに関連する一方の前記タイムスロットで、前記第１の同期信号Ｓ１と前記第２の同期信号Ｓ２の一方を受信することは、前記１対のシーケンスＳｉ〜、Ｓｊ〜を同時に受信することを含む、請求項５に記載の方法。
【請求項１０】
前記同期チャネルに関連する２つの前記タイムスロットのどちらで、前記第１の同期信号と前記第２の同期信号の前記一方が受信されたのかを示す情報を用いて、無線フレームタイミングを検出することを含む、請求項５に記載の方法。
【請求項１１】
前記１対の受信されたシーケンスＳｉ〜、Ｓｊ〜がどのセルグループと一意的に関連付けられるのかを判定することにより、前記特定のセルグループを識別することは、参照テーブル内でエントリの位置を特定するために前記１対のシーケンスＳｉ〜、Ｓｊ〜を用いることを含む、請求項５に記載の方法。
【請求項１２】
前記１対の受信されたシーケンスＳｉ〜、Ｓｊ〜がどのセルグループと一意的に関連付けられるのかを判定することにより、前記特定のセルグループを識別することは、計算回路によって実行される、請求項５に記載の方法。
【請求項１３】
前記同期チャネルに関連する前記２つのタイムスロットのどちらで、前記第１の同期信号と前記第２の同期信号の前記受信された一方が受信されたのかを判定するために、前記シーケンスＳｉ〜、Ｓｊ〜が前記第１の順序または前記第２の順序で配列されたのかについての情報を用いることは、参照テーブル内でエントリの位置を特定するために前記１対の受信されたシーケンスＳｉ〜、Ｓｊ〜を用いることを含む、請求項５に記載の方法。
【請求項１４】
前記同期チャネルに関連する前記２つのタイムスロットのどちらで、前記第１の同期信号と前記第２の同期信号の前記受信された一方が受信されたのかを判定するために、前記シーケンスＳｉ〜、Ｓｊ〜が前記第１の順序または前記第２の順序で配列されたのかについての情報を用いることは、計算回路によって実行される、請求項５に記載の方法。
【請求項１５】
前記同期チャネルに関連する他方の前記タイムスロットで、前記第１の同期信号と前記第２の同期信号の他方を受信することと、
実行されるセル探索の手続きの種類が、周波数間のセル探索の手続きであるかを判定することと、
実行されるセル探索の手続きの前記種類が、無線アクセス技術間のセル探索の手続きであるかを判定することと、
実行されるセル探索の手続きの前記種類が、セル間の探索の手続きであるかを判定することと、
実行されるセル探索の手続きの前記種類が、前記周波数間のセル探索の手続き、前記無線アクセス技術間のセル探索の手続き、または、前記セル間の探索の手続きのいずれでもない場合には、
前記複数の所定のシーケンスのどれが、前記第１の同期信号と前記第２の同期信号の前記他方の前記受信されたシーケンスＳｉ〜に最も一致するのか、前記複数の所定のシーケンスのどれが、前記第１の同期信号と前記第２の同期信号の前記他方の前記受信されたシーケンスＳｊ〜に最も一致するのか、かつ、前記第１の同期信号と前記第２の同期信号の前記他方の前記１対の受信されたシーケンスＳｉ〜、Ｓｊ〜は、前記第１の順序または前記第２の順序で配列されたのかについての判定を実行すること、を含み、
セルグループの識別工程はさらに、前記第１の同期信号と前記第２の同期信号の前記他方の前記１対の受信されたシーケンスＳｉ〜、Ｓｊ〜が、どのセルグループと一意的に関連付けられるのかを判定することを含む、請求項５に記載の方法。
【請求項１６】
物理層で無線フレームを採用する携帯電話通信システムにおいて、送信される信号において、タイミングパラメータを指示し、Ｍ個の可能なセルグループから特定のセルグループの識別を行なう装置であって、前記無線フレームは複数のタイムスロットから成る、前記装置は、
前記無線フレームの既知の１のタイムスロットで、第１の順序で配列された１対のシーケンスＳｉ〜、Ｓｊ〜を含む同期信号Ｓ１を送信するために構成されたロジックと、
前記無線フレームの既知の別の既知のタイムスロットで、第２の順序で配列された前記１対のシーケンスＳｉ〜、Ｓｊ〜を含む同期信号Ｓ２を送信するために構成されたロジックと、を含み、
前記１対のシーケンスＳｉ〜、Ｓｊ〜のそれぞれは、Ｎｓｅｑ個の異なるシーケンスを含むグループから選択され、Ｎｓｅｑは少なくとも
【数３】
2010516132.tif 000032
個の異なるシーケンスであり、
前記選択された１対のシーケンスは、前記特定のセルグループとして一意的に識別され、ｉ、ｊ∈［１、・・・、Ｎｓｅｑ］であり、かつ、Ｓｉ〜≠Ｓｊ〜であり、
前記装置は、前記シーケンスの前記第１の順序が前記無線フレームの前記既知の１のタイムスロットでの送信のために用いられ、前記シーケンスの前記第２の順序が前記既知の別のタイムスロットでの送信のために用いられるように作動するために構成されている、装置。
【請求項１７】
前記携帯電話通信システムの前記物理層は直交周波数分割多重方式を採用し、
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、１つ以上のサブキャリアの第１の組で前記シーケンスＳｉ〜を送信し、かつ、１つ以上のサブキャリアの第２の組で前記シーケンスＳｊ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、１つ以上のサブキャリアの前記第１の組で前記シーケンスＳｊ〜を送信し、かつ、１つ以上のサブキャリアの前記第２の組で前記シーケンスＳｉ〜を送信することによって、前記１対のシーケンスＳｉ〜、Ｓｊ〜の前記第２の順序に作用する、請求項１６に記載の装置。
【請求項１８】
前記第１の同期信号Ｓ１と、前記第２の同期信号Ｓ２と、前記シーケンスＳｉ〜と、前記シーケンスＳｊ〜と、は全て長さが等しい、請求項１７に記載の装置。
【請求項１９】
前記携帯電話通信システムの前記物理層において、前記同期信号Ｓ１のシンボルは周波数ドメインにおいて区別され、
前記無線フレームの前記既知の１のタイムスロットで、前記第１の順序で配列された前記１対のシーケンスＳｉ〜、Ｓｊ〜を含む前記同期信号Ｓ１を送信するために構成された前記ロジックは、周波数の第１の組で前記シーケンスＳｉ〜を送信し、かつ、周波数の第２の組で前記シーケンスＳｊ〜を送信することによって、前記１対のシーケンスＳｉ〜、Ｓｊ〜の前記第１の順序に作用し、
前記無線フレームの前記既知の別のタイムスロットで、前記第２の順序で配列された前記１対のシーケンスＳｉ〜、Ｓｊ〜を含む前記同期信号Ｓ２を送信するために構成された前記ロジックは、周波数の前記第１の組で前記シーケンスＳｊ〜を送信し、かつ、周波数の前記第２の組で前記シーケンスＳｉ〜を送信することによって、前記１対のシーケンスＳｉ〜、Ｓｊ〜の前記第２の順序に作用する、請求項１６に記載の装置。
【請求項２０】
前記無線フレームの前記既知の１のタイムスロットでの送信のための前記シーケンスの前記第１の順序の前記使用、および、前記既知の別のタイムスロットでの送信のための前記シーケンスの前記第２の順序の前記使用は、前記同期信号Ｓ１と前記同期信号Ｓ２の一方を用いた無線フレームタイミングの検出を可能にする、請求項１６に記載の装置。
【請求項２１】
物理層で無線フレームを採用する携帯電話通信システムにおいて、受信される信号において、タイミングパラメータを検出し、Ｍ個の可能なセルグループから特定のセルグループの識別を行なう装置であって、前記無線フレームは、同期チャネルに関連する２つのタイミングスロットを含む複数のタイムスロットから成る、前記装置は、
前記同期チャネルに関連する一方の前記タイムスロットで、第１の同期信号Ｓ１と第２の同期信号Ｓ２の一方を受信するために構成されたロジックと、
前記第１の同期信号Ｓ１は、第１の順序で配列された１対のシーケンスＳｉ〜、Ｓｊ〜を含み、前記第２の同期信号Ｓ２は、第２の順序で配列された前記１対のシーケンスＳｉ〜、Ｓｊ〜を含み、
複数の所定のシーケンスのどれが前記受信されたシーケンスＳｉ〜に最も一致するのか、前記複数の所定のシーケンスのどれが前記受信されたシーケンスＳｊ〜に最も一致するのか、かつ、前記１対の受信されたシーケンスＳｉ〜、Ｓｊ〜は前記第１の順序、または前記第２の順序で配列されたのか、を判定するために構成されたロジックと、
前記複数の所定のシーケンスは、Ｎｓｅｑ個の異なるシーケンスを含むグループから選択され、Ｎｓｅｑは少なくとも
【数４】
2010516132.tif 000033
個の異なるシーケンスであり、
前記１対の受信されたシーケンスＳｉ〜、Ｓｊ〜がどのセルグループと一意的に関連付けられるかについての判定を含む、セルグループの識別工程を実行することによって、前記特定のセルグループを識別するために構成されたロジックと、
前記シーケンスＳｉ〜、Ｓｊ〜は前記第１の順序または前記第２の順序で受信されたのかを示す情報を用いて、前記同期チャネルに関連する前記２つのチャネルのどちらで、前記第１の同期信号と前記第２の同期信号の前記一方が受信されたのかを判定するために構成されたロジックと、を含む装置。
【請求項２２】
前記携帯電話通信システムの前記物理層は直交周波数分割多重方式を採用し、
前記１対のシーケンスＳｉ〜、Ｓｊ〜の前記第１の順序は、前記シーケンスＳｉ〜に、１つ以上のサブキャリアの第１の組で受信されるようにさせ、かつ、前記シーケンスＳｊ〜に、１つ以上のサブキャリアの第２の組で受信されるようにさせ、
前記１対のシーケンスＳｉ〜、Ｓｊ〜の前記第２の順序は、前記シーケンスＳｊ〜に、１つ以上のサブキャリアの前記第１の組で受信されるようにさせ、かつ、前記シーケンスＳｉ〜に、１つ以上のサブキャリアの前記第２の組で受信されるようにさせる、請求項２１に記載の装置。
【請求項２３】
前記第１の同期信号Ｓ１と、前記第２の同期信号Ｓ２と、前記シーケンスＳｉ〜と、前記シーケンスＳｊ〜と、は全て長さが等しい、請求項２２に記載の装置。
【請求項２４】
前記携帯電話通信システムの前記物理層において、前記同期信号Ｓ１のシンボルは周波数ドメインにおいて区別され、
前記１対のシーケンスＳｉ〜、Ｓｊ〜の前記第１の順序は、前記シーケンスＳｉ〜に、周波数の第１の組で受信されるようにさせ、かつ、前記シーケンスＳｊ〜に、周波数の第２の組で受信されるようにさせ、
前記１対のシーケンスＳｉ〜、Ｓｊ〜の前記第２の順序は、前記シーケンスＳｊ〜に、周波数の前記第１の組で受信されるようにさせ、かつ、前記シーケンスＳｉ〜に、周波数の前記第２の組で受信されるようにさせる、請求項２１に記載の装置。
【請求項２５】
前記同期チャネルに関連する一方の前記タイムスロットで、前記第１の同期信号Ｓ１と前記第２の同期信号Ｓ２の一方を受信するために構成された前記ロジックは、前記１対のシーケンスＳｉ〜、Ｓｊ〜を同時に受信するために構成されたロジックを含む、請求項２１に記載の装置。
【請求項２６】
前記同期チャネルに関連する前記２つのタイムスロットのどちらで、前記第１の同期信号と前記第２の同期信号の前記一方が受信されたのかを示す情報を用いて、無線フレームタイミングを検出するために構成されたロジックを含む、請求項２１に記載の装置。
【請求項２７】
前記１対の受信されたシーケンスＳｉ〜、Ｓｊ〜がどのセルグループと一意的に関連付けられるのかを判定することにより、前記特定のセルグループを識別するために構成された前記ロジックは、参照テーブル内でエントリの位置を特定するために前記１対の受信されたシーケンスＳｉ〜、Ｓｊ〜を用いるために構成されたロジックを含む、請求項２１に記載の方法。
【請求項２８】
前記１対の受信されたシーケンスＳｉ〜、Ｓｊ〜がどのセルグループと一意的に関連付けられるのかを判定することにより、前記特定のセルグループを識別するために構成された前記ロジックは、計算回路を含む、請求項２１に記載の方法。
【請求項２９】
前記シーケンスＳｉ〜、Ｓｊ〜は前記第１の順序または前記第２の順序で受信されたのかを示す情報を用いて、前記同期チャネルに関連する前記２つのタイムスロットのどちらで前記第１の同期信号と前記第２の同期信号の前記一方が受信されたのか、を判定するために構成された前記ロジックは、
参照テーブルと、
前記参照テーブル内でエントリの位置を特定するために前記１対の受信されたシーケンスＳｉ〜、Ｓｊ〜を用いるために構成されたロジックと、を含む、請求項２１に記載の装置。
【請求項３０】
前記シーケンスＳｉ〜、Ｓｊ〜は前記第１の順序または前記第２の順序で受信されたのかを示す情報を用いて、前記同期チャネルに関連する前記２つのタイムスロットのどちらで前記第１の同期信号と前記第２の同期信号の前記一方が受信されたのか、を判定するために構成された前記ロジックは、
入力として前記１対の受信されたシーケンスＳｉ〜、Ｓｊ〜を得る計算回路を含む、請求項２１に記載の方法。
【請求項３１】
前記同期チャネルに関連する他方の前記タイムスロットで、前記第１の同期信号と前記第２の同期信号の他方を受信するために構成されたロジックと、
実行されるセル探索の手続きの種類が、周波数間のセル探索の手続きであるかを判定するために構成されたロジックと、
実行されるセル探索の手続きの前記種類が、無線アクセス技術間のセル探索の手続きであるかを判定するために構成されたロジックと、
実行されるセル探索の手続きの前記種類が、セル間の探索の手続きであるかを判定するために構成されたロジックと、
前記周波数間のセル探索の手続き、前記無線アクセス技術間のセル探索の手続き、または、前記セル間の探索の手続きのいずれでもない、実行されるセル探索の手続きの前記種類に対して、
前記複数の所定のシーケンスのどれが、前記第１の同期信号と前記第２の同期信号の前記他方の前記受信されたシーケンスＳｉ〜に最も一致するのか、前記複数の所定のシーケンスのどれが、前記第１の同期信号と前記第２の同期信号の前記他方の前記受信されたシーケンスＳｊ〜に最も一致するのか、かつ、前記第１の同期信号と前記第２の同期信号の前記他方の前記１対の受信されたシーケンスＳｉ〜、Ｓｊ〜は、前記第１の順序または前記第２の順序で配列されたのかについての判定を実行することによって、対応するために構成されたロジックと、を含み、
セルグループの識別工程はさらに、前記第１の同期信号と前記第２の同期信号の前記他方の前記１対の受信されたシーケンスＳｉ〜、Ｓｊ〜が、どのセルグループと一意的に関連付けられるのかを判定することを含む、請求項２１に記載の装置。
【国際調査報告】
2010516132.tif 000034
2010516132.tif 000035